【手続補正書】
【提出日】平成17年11月14日(2005.11.14)
【手続補正１】
【補正対象書類名】明細書
【補正対象項目名】特許請求の範囲
【補正方法】変更
【補正の内容】
【特許請求の範囲】
【請求項１】  第１スロットをもつ第１フランジを備えた第１ジョー及び第２スロットをもつ第２フランジを備えた第２ジョーを有し、第１ジョー及び第２ジョーが腹腔鏡二極電気外科器具の末端部に配置され、そしてそれらの間に二極電気外科電流を導く導電性材料を有し；
また、第１ジョーを電気外科エネルギー源に接続する導電性押し棒と；
第２ジョーを電気外科エネルギー源に接続する導電性管と；
押し棒に取付けられかつ第１フランジを第２フランジから電気的に絶縁するように位置決めされ、第１フランジに対向した第１側部及び第２フランジに対向した第２側部を備え、かつさらに第１肩部及び第２肩部を備えたヨークと；
第１側部に位置しかつ第１スロットと可動的に係合する第１ピンと；
第２側部に位置しかつ第２スロットと可動的に係合する第２ピンと
を有し；
第１ジョー及び第２ジョーの成す角度が押し棒の末端方向への動きに連れて減少するように第１スロット及び第２スロットが形成され；
さらに、第１肩部及び第２肩部がほぼそれぞれ第１フランジ及び第２フランジと係合して第１ジョー及び第２ジョーの間の閉鎖力を発生する時に、第１ピン及び第２ピンにおける剪断応力を軽減するため第１スロット及び第２スロットにそれぞれ位置決めされた第１及び第２行止り部と；
ヨーク部材を動かすため押し棒に取付けられたハンドルと
を有することを特徴とする腹腔鏡二極電気外科器具。
【請求項２】  前記導電性管が、押し棒の少なくとも一部分を包囲し、前記電気絶縁性層が、導電性管と押し棒を横切る電気外科交番電位を支持できる導電性管と押し棒との間にあることを特徴とする請求項１に記載の腹腔鏡二極電気外科器具。
【請求項３】  さらに、押し棒に電気的に接続された内側ノーズ部片と導電性管に電気的に接続された外側ノーズ部片とを有し、内側ノーズ部片及び外側ノーズ部片が第１フランジ及び第２フランジと共にヨークを捕捉し、二極電気外科電流を第１ジョー及び第２ジョーへ導くようにしていることを特徴とする請求項２に記載の腹腔鏡二極電気外科器具。
【請求項４】  さらに、押し棒と内側ノーズ部片とを電気的に接続するためそれらの間に電気ばね接点を有することを特徴とする請求項３に記載の腹腔鏡二極電気外科器具。
【請求項５】  さらに、第１ジョー及び第２ジョーの各々に隆起部を有することを特徴とする請求項１に記載の腹腔鏡二極電気外科器具。
【請求項６】  第１ジョー及び第２ジョーの各々が幅及び長さをもつシール面を備え、長さに沿って少なくとも一つの位置が幅ｍｍで割った閉鎖力ｇが４００〜６５０の範囲であるような幅をもつことを特徴とする請求項１に記載の腹腔鏡二極電気外科器具。
【請求項７】  各シール面の幅が、それのそれぞれの長さに沿ってテーパー状にされることを特徴とする請求項６に記載の腹腔鏡二極電気外科器具。
【請求項８】  幅で割った閉鎖力が、第１ジョー及び第２ジョーの各々の長さに沿ってほぼ一定であることを特徴とする請求項７に記載の腹腔鏡二極電気外科器具。
【請求項９】  第１スロットをもつ第１フランジを備えた第１ジョー及び第２スロットをもつ第２フランジを備えた第２ジョーを有し、第１ジョー及び第２ジョーが腹腔鏡二極電気外科器具の末端部に配置され、そしてそれらの間に二極電気外科電流を導く導電性材料を有し；
また、第１ジョーを電気外科エネルギー源に接続する導電性押し棒と；
第２ジョーを電気外科エネルギー源に接続する導電性管と；
押し棒に取付けられかつ第１フランジを第２フランジから電気的に絶縁し、第１フランジに対向した第１側部及び第２フランジに対向した第２側部を備え、かつさらに第１肩部及び第２肩部を備えたヨークと；
第１側部に位置しかつ第１スロットと可動的に係合する第１ピンと；
第２側部に位置しかつ第２スロットと可動的に係合する第２ピンと
を有し；
第１ジョー及び第２ジョーの成す角度が押し棒の末端方向への動きに連れて減少するように第１スロット及び第２スロットが形成され；
さらに、第１肩部及び第２肩部がほぼそれぞれ第１フランジ及び第２フランジと係合する上記角度において、第１ピン及び第２ピンにおける剪断応力を軽減するため第１スロット及び第２スロットにそれぞれ位置決めされた第１及び第２行止り部と；
外側面と長さをもち押し棒の少なくとも一部分を包囲する導電性管と；
導電性管と押し棒を横切る電気外科交番電位を支持できる押し棒と導電性管との間の電気絶縁性層と；
押し棒に電気的に接続された内側ノーズ部片と；
導電性管に電気的に接続された外側ノーズ部片と
を有し；
内側ノーズ部片及び外側ノーズ部片が第１フランジ及び第２フランジと共にヨークを捕捉して、二極電気外科電流を第１ジョー及び第２ジョーへ導くようにされ；
さらに、押し棒と内側ノーズ部片とを電気的に接続するためそれらの間に設けられた電気ばね接点と；
ヨーク部材を動かすため押し棒に取付けられたハンドルと
を有することを特徴とする腹腔鏡二極電気外科器具。
【請求項１０】  第１スロットをもつ第１フランジを備えた第１ジョー及び第２スロットをもつ第２フランジを備えた第２ジョーを形成し、第１ジョー及び第２ジョーを末端部に配置し、そしてそれらの間に二極電気外科電流を導く導電性材料で構成する工程と；
第１ジョーを電気外科エネルギー源に接続する導電性押し棒を準備する工程と；
第２ジョーを電気外科エネルギー源に接続する導電性管を準備する工程と
ヨークを押し棒に取付ける工程と；
第１フランジに対向した第１側部及び第２フランジに対向した第２側部を備え、さらに第１肩部及び第２肩部を備えたヨークにより第１フランジを第２フランジから電気的に絶縁する工程と；
第１側部に位置した第１ピンを第１スロットに係合する工程と；
第２側部に位置した第２ピンを第２スロットに係合する工程と；
第１ジョー及び第２ジョーの成す角度が押し棒の末端方向への動きに連れて減少するように第１スロット及び第２スロットを形成する工程と；
第１肩部及び第２肩部がほぼそれぞれ第１フランジ及び第２フランジと係合する上記角度において第１ピン及び第２ピンにおける剪断応力を軽減するため第１スロット及び第２スロットにそれぞれ第１及び第２行止り部を位置決めする工程と；
ヨーク部材を動かすため押し棒に取付けられたハンドルを準備する工程とを
有することを特徴とする腹腔鏡二極電気外科器具の製造法。
【請求項１１】  さらに、外側面及び長さをもつ導電性管で押し棒の少なくとも一部分を包囲する工程と、導電性管を押し棒から電気的に絶縁する工程とを有することを特徴とする請求項１０に記載の腹腔鏡二極電気外科器具の製造法。
【請求項１２】  さらに、押し棒に内側ノーズ部片を電気的に接続する工程と、導電性管に外側ノーズ部片を電気的に接続する工程とを有し、内側ノーズ部片及び外側ノーズ部片が第１フランジ及び第２フランジと共にヨークを捕らえ、二極電気外科電流を第１ジョー及び第２ジョーへ導くことを特徴とする請求項１１に記載の腹腔鏡二極電気外科器具の製造法。
【請求項１３】  さらに、押し棒と内側ノーズ部片とを電気ばね接点に電気的に接続する工程を有することを特徴とする請求項１２に記載の腹腔鏡二極電気外科器具の製造法。
【請求項１４】  第１ジョー及び第２ジョーの各々が長さ及び幅をもち、そして互いに閉鎖力と対抗し、第１ジョー及び第２ジョーの各々の長さに沿って幅をテーパー状にする工程を有することを特徴とする請求項１０に記載の腹腔鏡二極電気外科器具の製造法。
【請求項１５】  さらに、幅ｍｍで割った閉鎖力ｇが４００〜６５０の範囲となるようにする工程を有することを特徴とする請求項１４に記載の腹腔鏡二極電気外科器具の製造法。
【請求項１６】  第１ジョー及び第２ジョーの幅を、それのそれぞれの長さに沿ってテーパー状にする工程を有することを特徴とする請求項１４に記載の腹腔鏡二極電気外科器具の製造法。
【請求項１７】  幅で割った閉鎖力が、第１ジョー及び第２ジョーの各々の長さに沿ってほぼ一定となるようにする工程を有することを特徴とする請求項１６に記載の腹腔鏡二極電気外科器具の製造法。
【請求項１８】  互いに対向して回動するように取付けられ、各々そこからのびるフランジをもち、そして互いに離間して位置する第１開放位置から、間に組織を挟持するように協働くする第２緊締位置へ相対的に動くことのできる第１及び第２ジョー部材と；
ジョー部材がそれらの間に保持された組織に二極エネルギーを導くことのできるように第１ジョー部材を第１極に接続する導電性押し棒、及び第２ジョー部材を第２極に接続する導電性管と；
ヨークを押し棒に取付けられかつジョー部材間に取付けられたヨークと
を有し、該ヨーク部材が第１開放位置及び第２緊締位置からジョー部材を動くようにカム・フォロワーのようにして対応した一対のスロットと協働する一対のピンを備え；
ヨークに取付けられ、ジョー部材が組織の緊締及びシール中にピンにおける剪断応力を低減するように第２緊締位置に動く際に、ジョー部材のフランジに当接するように寸法決めされる一対の肩部分と；
ヨーク部材を動かすため押し棒に取付けられたハンドルと
を有することを特徴とする腹腔鏡二極電気外科器具。